(57)【要約】  本発明は、複数の発光体、例えば、個々の放出スペクトルのＬＥＤ Ｌ１、Ｌ２、Ｌ３、Ｌ４を有する照明装置１に関する。センサユニット Ｄ１、Ｄ２、Ｄ３、Ｄ４は、単一の活性発光体の光入力を表現する測定信号Ｓ１、Ｓ２、Ｓ３、Ｓ４のベクトルを生成することができる。次いで、較正手順の間に得られる線形関係に基づいて、発光体Ｌ１、Ｌ２、Ｌ３、Ｌ４の光入力の特徴的な値が、前記測定ベクトルから算出され、前記特徴的な値は、前記個々の放出スペクトルの、基底関数への分解の係数に基づいている。
2009526359.tif 000002
【特許請求の範囲】
【請求項１】
ａ）少なくとも１つの発光体と、
ｂ）前記発光体の個々の光出力に対応する測定信号を生成する少なくとも２つのセンサユニットと、
ｃ）前記センサユニットの信号から、前記発光体の前記個々の光出力の少なくとも１つの特徴的な値を推定する推定ユニットであって、前記特徴的な値は、前記少なくとも１つの発光体のスペクトルの、所与の集合の基底関数への分解の係数に基づいている、推定ユニットと、
を有する照明装置。
【請求項２】
少なくとも１つの発光体を有する照明装置の管理のための方法であって、
ａ）前記発光体の個々の光出力に対応する測定信号が生成され、
ｂ）前記発光体の個々の光出力の少なくとも１つの特徴的な値が、前記測定信号から推定され、前記特徴的な値が、前記発光体の前記スペクトルの、所与の集合の基底関数への分解の係数に基づいている、
方法。
【請求項３】
前記照明装置は、別個に測定されることができる複数の前記発光体を有しており、これらの発光体の特徴的な値は、各発光体のスペクトルの、所与の集合の基底関数への分解の係数に基づいていることを特徴とする、請求項１に記載の照明装置又は請求項２に記載の方法。
【請求項４】
前記照明装置は、別個に測定されることができる少なくとも２つの前記発光体を有しており、前記発光体に対して、前記基底関数の集合が同一であることを特徴とする、請求項１に記載の照明装置又は請求項２に記載の方法。
【請求項５】
前記基底関数は、前記スペクトルの抽出された形状に対して、特に、釣鐘形状として、区分線形として、多項式及び／又はＢスプラインとして選択されることを特徴とする、請求項１に記載の照明装置又は請求項２に記載の方法。
【請求項６】
前記基底関数の数が、前記測定信号の数と同一であることを特徴とする、請求項１に記載の照明装置又は請求項２に記載の方法。
【請求項７】
前記発光体の色点が前記係数から計算されることを特徴とする、請求項１に記載の照明装置又は請求項２に記載の方法。
【請求項８】
前記特徴的な値と前記係数との間に線形関係が存在し、前記線形関係は、好ましくは行列によって記載されることを特徴とする、請求項１に記載の照明装置又は請求項２に記載の方法。
【請求項９】
前記測定信号と前記係数との間に線形関係が存在し、前記線形関係は、好ましくは行列によって記載されることを特徴とする、請求項１に記載の照明装置又は請求項２に記載の方法。
【請求項１０】
前記特徴的な値と前記測定信号との間に線形関係が存在することを特徴とする、請求項１に記載の照明装置又は請求項２に記載の方法。
【請求項１１】
前記線形関係の係数は、同時にただ１つの発光体の隔離された動作を含む較正手順において決定されることを特徴とする、請求項８又は９に記載の照明装置又は方法。
【請求項１２】
ただ１つの発光体が、前記較正手順の間に、異なる動作条件の下で測定されることを特徴とする、請求項１１に記載の照明装置又は方法。
【請求項１３】
前記照明装置は、種々のスペクトル感度を有するセンサユニットを有していることを特徴とする、請求項１に記載の照明装置又は請求項２に記載の方法。
【請求項１４】
前記センサユニットは、種々の材料及び／又は厚さの誘電体層によって覆われているフォトダイオードを有することを特徴とする、請求項１２に記載の照明装置又は方法。
【請求項１５】
前記照明装置は、前記少なくとも１つの発光体を、前記推定された特徴的な値に基づいて個々に駆動させるコントローラを有することを特徴とする、請求項１に記載の照明装置又は請求項２に記載の方法。
【発明の詳細な説明】
【技術分野】
【０００１】
前記発明は、発光体及びセンサユニットを有する照明装置に関する。更に、本発明は、このような照明装置を管理（supervision）する方法に関する。
【背景技術】
【０００２】
米国特許第2003/0133117号から、赤、緑及び青発光ダイオード（ＬＥＤ）と、それぞれ、赤、緑及び青のスペクトル範囲において最大感度を有する対応するセンサユニットとを有する照明装置が知られている。前記照明装置全体の三刺激色点（Ｘ、Ｙ、Ｚ）は、線形関数、即ち前記測定信号の行列積として推定される。
【発明の開示】
【発明が解決しようとする課題】
【０００３】
しかしながら、高い精度を達成するためには、このような計算における高次の積を含む必要がある。
【０００４】
この状況に基づいて、本発明の目的は、幾つかの発光体を有する照明装置の簡単かつ正確な管理のための手段を提供することにある。
【課題を解決するための手段】
【０００５】
この目的は、請求項１に記載の照明装置と、請求項２に記載の方法とによって達成される。好適な実施例は、添付の従属請求項に開示されている。
【０００６】
第１の見地によれば、本発明は、以下の構成要素を有する照明装置に関する。
ａ）個々の光出力を有する少なくとも１つの発光体。前記発光体は、１つのランプ、又は幾つかの、同一の若しくは別個のランプの組み合わせであっても良い。
ｂ）前述の発光体の個々の光出力に対応する測定信号を生成する少なくとも２つのセンサユニット。発光体の「光出力」は、典型的には、スペクトル、即ち単位波長（単位：Ｗ／ｎｍ）毎の波長依存の発せられた光の強度によって、規定される。測定の間、このスペクトルは、前記測定装置のスペクトル感度曲線によって畳み込まれる。
ｃ）前述の測定信号から、発光体の個々の光出力の少なくとも１つの特徴的な値を推定する推定ユニットであって、前記特徴的な値は、前記発光体のスペクトルの、所与の集合の基底関数への分解の係数に基づいている、推定ユニット。好ましくは、１つ以上の特徴的な値は、当該照明装置内に設けられている複数の発光体に対して（光学的には当該照明装置の全ての発光体に対して）連続して決定され前記特徴的な値は、同じ種類又は異なる種類であり得る。
【０００７】
前述の基底関数は、分解係数に従って演算されている場合を考慮して、前記発光体のスペクトルを一般に再現する仮想の発光体の一種として機能する。発光体のスペクトルを基底関数によって概算することによって、前記スペクトルは、限られた数の値（前記係数）によって良好に正確に特徴付けられることができる。この複雑性の低減は、例えば、線形関係によって、個々のスペクトルの単純化された取り扱いを可能にする。勿論、一つの発光体のスペクトルのみではなく、照明装置の全ての発光体のスペクトルが、所与の集合の基底関数への分解の係数によって特徴づけられることができる。
【０００８】
第２の見地によれば、本発明は、少なくとも１つの発光体を有する照明装置の管理のための方法に関する。前記方法は、以下のステップを有する。
a）前記発光体の個々の光出力に対応する測定信号の生成
ｂ）前述の測定信号からの前記発光体の個々の光出力の少なくとも１つの特徴的な値の推定であって、前記特徴的な値は、前記発光体のスペクトルの、所与の集合の基底関数へ分解の係数に基づいている、推定。
【０００９】
前記方法は、一般的な形態において、本発明の第１の見地による照明装置によって実行されることができるステップを有している。従って、前記方法の詳細、有利な点及び改善に関する更なる情報について、前述の記載が参照される。
【００１０】
以下において、本発明による照明装置及び方法の両方に関連する本発明の好適な実施例が、記載される。
【００１１】
実際に、照明装置は、典型的には、独立に動作されることができ、従ってセンサユニットによって選択的に測定されることもできる２つ以上の発光体を有する。この場合において、特徴的な値は、前記発光体の各々に対して推定されることができる。一般に、各発光体は、基底関数の異なる集合と関連づけられることができ、このことは、全ての発光体のスペクトルに関して基底関数の同じ集合を使用することによる取り扱いを簡単にするのに好適である。
【００１２】
基底関数の形状は、十分な正確性を有するスペクトルを特徴付ける又は生成することができる限り、任意である。発光体のスペクトルの一般的な形態は、通常、予め知られているので、前記基底関数は、十分な正確さによってこの形態の何らかの具体的なスペクトルを近似することができるように、選択されるのが好ましい。前記基底関数は、例えば、釣鐘型であっても良い。このことは、局在化された寄与に基づく所与のスペクトルを構成することを可能にする。更に、前記基底関数は、発光体の特定のスペクトルを概算するのに向いている線形の、多項式、Ｂスプライン又は何らかの他の形態であっても良い。
【００１３】
更に、所与のスペクトルを構成する（分解する）ために使用される基底関数の数は、基本的に任意である。しかしながら、好ましくは、前記数は、利用可能である独立の測定信号の数（即ち前記照明装置内の独立のセンサユニットの数）と同一である。この場合、前記測定信号は、所与のスペクトルの基底関数への分解の係数を決定するのにちょうど十分な情報を供給する。
【００１４】
前記分解係数によって、スペクトル自体が、（少なくともおおよそ）知られる。従って、前記スペクトルに依存する如何なる値も、決定されることができる。特に重要な例において、前記発光体の（所定の色空間に対する）色点が、前記分解係数から計算される。
【００１５】
一般的な場合において、特徴的な値ｃｖと、分解係数αと、測定信号Ｓとの間の関係は、任意の、特定の非線形のものであって良い。しかしながら、合成写像（composite mapping）Ｓ→α→ｃｖにおける関係の少なくとも一部が、線形である場合、より容易な数学的な取り扱いも可能である。
【００１６】
従って、例えば、前記特徴的な値と前記分解係数との間に線形関係α→ｃｖが存在しても良く、この関係は、好ましくは（結合）行列によって記述される。
【００１７】
更に、前記測定信号と前記分解係数との間に線形関係Ｓ→αが存在しても良く、前記関係も、好ましくは、行列によって記述される。
【００１８】
最後に、前記特徴的な値と前記測定信号との間に線形関係Ｓ→ｃｖが存在しても良い。これは、特に、前述の２つの線形関数が存在する場合である。
【００１９】
前述の線形関係の１つ以上が存在する場合、測定信号のベクトルの処理は、（少なくとも部分的に）簡単で高速の行列乗算によってなされることができ、前記行列の係数は、典型的には、前もって計算され、記憶されている。
【００２０】
前述の場合の好適実施例において、前記線形関係の係数（即ち関連する行列の成分）は、（幾つかが存在する場合の）発光体の１つのみの隔離された動作を有する較正手順において決定される。各発光体を別個に動作させることにより、前記測定信号への寄与が、フィルタリングされ、線形関係の係数に取り込むことができる。
【００２１】
前述の較正手順の更なる改善によれば、隔離されて動作される前記発光体は、例えば、異なる電流及び温度等のような、異なる動作条件において測定される。このように、前記発光体によって生成されることができるスペクトルの範囲が、探求され、線形関係の係数に取り込まれる。
【００２２】
前記照明装置及び／又は前記方法の一実施例において、前記測定信号は、異なるスペクトル感度曲線を有するセンサユニットによって生成される。異なるスペクトル感度曲線は、前記測定信号が、発せられるスペクトルの独立の特徴を表すことを、保証する。
【００２３】
前述の実施例の更なる展開において、前記センサユニットは、誘電体層によって覆われているフォトダイオードを有している。前記誘電体層の誘電体材料及び／又は特定の厚さを適切に選択することによって、種々の周期のフィルタリングの振る舞いは、誘電体層及びフォトダイオードの組み合わせが、前記照明装置のスペクトル範囲全体に亘って延在する振動感度曲線を表すように、達成されることができる。前記誘電体層は、好ましくは、シリコン二酸化物（ＳｉＯ２）、チタニウム二酸化物（ＴｉＯ２）及び／又はシリコン窒化物（Ｓｉ３Ｎ４）を有する。前記誘電体層の厚さは、好ましくは、５０ｎｍ乃至２．５μｍの範囲内にあり、最も好ましくは、１００ｎｍ乃至８００ｎｍの範囲内にある。前記誘電体層は、フォトダイオード全体に亘って均一な厚さのものであっても良い。代替的には、前記誘電体層の厚さは、例えば、前記層がくさび形状を有する場合、変化し得る。前記誘電体材料は、検出されるべき光に対して透明であるべきである。
【００２４】
前記センサユニットがフォトダイオードを有する場合、このフォトダイオードが、発光体が取り付けられる基板内に一体化されるのが好ましい。前記基板は、例えば、シリコン（Ｓｉ）であっても良い。
【００２５】
本発明の更なる実施例によれば、前記照明装置は、（複数の）前記推定された特徴的な値に基づいて、前記１つ以上の発光体を個々に駆動するように適応化されているコントローラを有する。前記コントローラは、例えば、共通の光放出が所与の色点に最適に適合するように、幾つかの発光体を駆動することができる。この点において、「最適な適合」とは、前記照明装置の光出力が、（ｉ）所定の色点を厳密に満たす、又は（ｉｉ）使用される発光体によって可能な限り近い色距離の所定のメートルによって、所定の色空間内の前記色点に近づくことを意味する。前記照明装置の光放出のフィードバック制御を達成するための適切なコントローラの設計は、当業者によって容易に設計されることができる。適したコントローラの例は、文献（例えば米国特許出願公開第2005/122065 A1号、米国特許出願公開第2003/111533 A1号、米国特許出願公開第2005/062446 A1号を参照されたい）において更に見つけられることができる。好適実施例において、前記コントローラは、関連する量の間の構成された関係を有する記憶装置（例えば、ＲＡＭ、ＲＯＭ、ＥＰＲＯＭ又はハードディスク等）を含んでいる。
【００２６】
原則として、発光体及びセンサユニットの如何なる幾何学的な配置も、可能である。好適実施例において、前記センサユニットは、前記発光体間に分散された仕方において配される。前記発光体は、例えば、平面内の行列配置で配されているＬＥＤであり、１つのセンサユニットは、２つの隣接する発光体毎の間に配されることができる。
【発明を実施するための最良の形態】
【００２７】
本発明のこれら及び他の見地は、以下に記載される実施例を参照して、明らかになり、説明される。これらの実施例は、添付図面の助けによって例として記載される。
【００２８】
前記図面における同様の符号は、同一の又は類似の構成要素を参照している。
【００２９】
図１は、本発明による照明装置の一実施例を模式的に示している。前記装置は、異なる色（例えば、緑、赤、青及び琥珀）を有すると共に、基板１２上に配され光学部品１１内に組み込まれている４つのＬＥＤ（又は一連のＬＥＤ）Ｌ１、Ｌ２、Ｌ３、及びＬ４を有している。前記４つのＬＥＤに隣接して、４つのセンサユニットＤ１、Ｄ２、Ｄ３及びＤ４が、ＬＥＤ Ｌ１―Ｌ４の光出力を測定する基板１２の表面上に設けられている。一般に、前記照明装置は、ｋ個のセンサと、ｎ個の原色の発光体とから構成されており、即ち前記図は、ｋ＝４及びｎ＝４の特定の場合を示している。
【００３０】
図２は、下側の図において、センサユニットＤ１、…、Ｄ４に関する任意のユニットにおけるスペクトル感度σ（即ち、所与の強度を有する波長λの単色照明の下のセンサ信号）を説明している。感度曲線が、準周期的に振動しており、関連するスペクトル範囲（即ち４００ｎｍよりも高く、かつ、８００ｎｍよりも低い波長λ）全体に亘って延在することが分かる。このような感度曲線は、例えば、１μｍから２．５μｍまでの厚さを有する上部におけるＳｉＯ２の単層２１を有する単層誘電体フィルタフォトダイオードによって生成されることができる。低い複雑性のために、単層誘電体フィルタ（ＳＤＦ）を有するこのようなセンサユニットは、基板１２内に容易に組み込まれることができる。
【００３１】
図１は、センサユニットＤ１、Ｄ２、Ｄ３及びＤ４の信号（例えば、光電流）が、増幅器１３によって増幅され、次いで、制御ユニット１４の一部である「推定ユニット」１５に送られることを更に示している。制御ユニット１４は、「色制御ユニット」１６及びＬＥＤドライバ１７を更に有している。色制御ユニット１６は、例えば、測定された信号（Ｓ１、Ｓ２、Ｓ３、Ｓ４）ｍｅａｓｕｒｅｄから推定ユニット１５によって決定された色点を、外部入力１８によって供給される目標色点（Ｘ、Ｙ、Ｚ）ｔａｒｇｅｔと比較する。この比較の結果に基づいて、色制御ユニット１６は、調整された駆動信号をＬＥＤドライバ１７に送信し、ＬＥＤドライバは、ＬＥＤ Ｌ１、Ｌ２、Ｌ３及びＬ４に結合されていると共に、前記ＬＥＤへの（平均）電流の振幅を調整することにより前記ＬＥＤの平均光を調整する。
【００３２】
図２は、上述の種類の照明装置の動作の根底にあるスペクトル関係を示している。図２の上部において、発光体Ｌ１、Ｌ２、…Ｌｎの個々のスペクトルｐ１、ｐ２、…ｐｎが示されている。重ね合わせにより、これらの個々のスペクトルは、図２の中央に示されている共通スペクトルＰｔｏｔを生成する。図２の下部において、センサユニットＤ１、…Ｄｋに対応している既に上述された感度曲線σ１、…、σｋが、示されている。共通スペクトルｐｔｏｔは、測定値Ｓ１、…Ｓｋを与えるために、これらの感度曲線によって測定され、測定値Ｓ１、…Ｓｋは、測定ベクトルＳに集められることができる。
【００３３】
今、本発明の目的は、個々のスペクトルｐ１、ｐ２、…、ｐｎ（又は、より一般的には、個々の光出力）の特徴的な値を、個々のスペクトルｐ１、ｐ２、…、ｐｎの測定から得られた測定ベクトルＳから効率的に推定することにある。
【００３４】
ここで提案される解決策において、前記発光体の個々のスペクトルｐｊは、スペクトル基底関数Ｗｉの線形結合に分解される。
【００３５】
前述のスペクトル基底関数Ｗｉは、全ての発光体に対して同じであることができる。しかしながら、一般に、各発光体は、適当な小さい数の係数による正確なフィッティングをするために、スペクトル基底関数の自身の集合を必要とする。このことは、例えば、ＬＥＤのような、小さい帯域幅の発光体の場合である。このことは、４センサを備えるＲ、Ｇ、Ｂ-システムの場合、好ましくは、４つの関数毎の４つのパケットにグループ化された合計で１６個の（例えば、釣鐘形の）スペクトル基底関数が存在し、１つのグループ内に含まれるこれら４つの関数は、好ましくは、フィッティングされるべき前記ＬＥＤの波長位置に略位置しているのが好ましいことを意味している。以下の記載を簡単にするために、スペクトル基底関数が、全ての発光体に対して同じ（又は、考えられている発光体に対する前記基底関数の依存は、少なくとも特に指摘されることはない）と仮定する。
【００３６】
図３は、４つのスペクトル基底関数Ｗ１、Ｗ２、Ｗ３及びＷ４の例示的な集合を、１つの発光体の個々のスペクトルｐｊと一緒に示している。この例において、前記基底関数は、釣鐘形状をしており、規格化されている。更に、これらの４つの累計は、照明装置内のセンサユニットの数と同一である。考慮中であるスペクトルｐｊは、この場合、式
【数１】
2009526359.tif 000003
の最小化によって決定されることができる４つの係数又は重み（α１、α２、α３、α４）において記載されることができる。
【００３７】
従って、放出スペクトルｐｊの形状は、最小二乗法の意味において、重み付け係数αｋによって再構成される。前記スペクトル基底関数のピーク幅及びピーク位置は、ＬＥＤスペクトルの適切な予測を生じる仕方において、選択される。明らかに、５つ以上のスペクトル基底関数が、前記ＬＥＤの放出スペクトルの予測において更なる精度を与えるように使用されることができる。この取り組みの基本的な概念は、仮想の発光体の一種としてのスペクトル基底関数Ｗｋの使用である。
【００３８】
以下において、各発光体に関して、重みのベクトルαＴ＝（α１、α２、α３、α４）と測定信号のベクトルＳとの間の線形関係を記述している「結合行列」が、利用される。特定の発光体（例えば、ＬＥＤ Ｌ１）に関して、関連する結合行列Ｃは、以下の較正手順によって決定されることができる。
【００３９】
ステップ１:当該照明装置は、環境の光が遮られた（暗い）部屋に位置されている。ＬＥＤ Ｌ１は、オンに切り換えられ、分光計が、前記ＬＥＤの放出スペクトルを測定するために装置の外部に位置されている。これらのデータに基づいて、値（α１１、α１２、α１３、α１４）が、式（１）を使用して計算される。更に、測定信号（Ｓ１１、Ｓ１２、Ｓ１３、Ｓ１４）が、当該照明装置のオンボード・センサユニットＤ１、…、Ｄ４によって記録される。従って、式Ｓ＝Ｃ・αのベクトルＳとαとは、既知のものである。行列Ｃを決定するために、この実験は、種々の条件の下で、３回、繰り返されなければならない。
【００４０】
ステップ２-４:ステップ１と同じであるが、ＬＥＤ Ｌ１のスペクトルシフトを刺激するために、他の（例えば、高い）電流及び温度を有する場合である。図４に示されているように、ステップ１−４は、Ｃが唯一未知ものである４つの独立な行列方程式をもたらす。従って、Ｃは、逆行列によって算出されることができる（図５）。ひとたび、行列Ｃが知られている場合、実際のスペクトルの分解係数（α１、α２、α３、α４）は、別個に動作されるＬＥＤ Ｌ１の測定において得られたベクトルＳとＣの逆数との単純な行列乗算、即ち式α＝Ｃ−１・Ｓによって容易に算出されることができる。
【００４１】
ステップ５:更なるステップにおいて、ＬＥＤ Ｌ１の色点（Ｘ、Ｙ、Ｚ）は、推定された分解係数（α１、α２、α３、α４）と、対応する基底関数Ｗ１、Ｗ２、Ｗ３、Ｗ４と、ＣＩＥ １９３１標準観測者の色関数ｘ（λ）、ｙ（λ）及びｚ（λ）（又は所望の色空間を規定する何らかの他の関数）とに基づいて、図６に示されている方程式によって計算されることができる。図６の係数γｘｋ、γｙｋ及びγｚｋは、対応する重なり積分によって予め計算され、前記照明装置のコントローラ内に記憶されることができる（３×４）行列Γの成分である。
【００４２】
前記ステップ１乃至５は、対応する行列Ｃ´、Ｃ´´等を生じるために、全ての他の原色（即ちＬＥＤ又は一連のＬＥＤ）によって繰り返されなければならない。ステップ１乃至４は、照明装置につき１回なされなければならず、（前記センサが、Ｃ行列の係数が装置から装置まで同一に留まることを再現可能なものである場合）生産ラインにつき１回なされるものでも良い。ステップ５は、色点制御の間に、なされる。
【００４３】
要約すると、上述の取り組みは、不均一の広帯域感度を有する光学センサを使用する原色の（一連のＬＥＤ）のスペクトル情報を取得するための解決策を提供する。各原色の放出ピークは、結合行列の技法を使用するスペクトル基底関数の観点において記載されている。この結合行列は、センサ信号を、前記スペクトル基底関数の重み付け係数に変換する。三刺激値は、直接的に計算される。従って、この技法は、目標の色点を調整するために、種々の電流又は電流のパターン（例えば、リップル）による前記ＬＥＤの駆動を可能にする。
【００４４】
本発明の原理は、好ましくは、ＬＥＤ又は蛍光体変換ＬＥＤに基づいて、多原色（multi-primary colored）ランプに応用されることができる。
【００４５】
最後に、本出願において、「有する」なる語は、他の構成要素又はステップを排除するものではなく、単数形の記載は、複数形を排除しているものではなく、単一のプロセッサ又は他のユニットは、幾つかの手段の機能を実行しても良いことを指摘しておく。当該発明は、各々の及び全ての新規で特徴的なフィーチャと、特徴的なフィーチャの各々の及び全ての組み合わせにある。更に、添付請求項内の符号は、これらの範囲を限定するものとみなしてはならない。
【図面の簡単な説明】
【００４６】
【図１】本発明による照明装置の模式的な略図を示している。
【図２】種々の発光体の寄与からの照明装置の共通の光出力の構成と、種々の感度曲線による測定信号のベクトルの生成とを示している。
【図３】図３は、発光体のスペクトルの基底関数への分解の例を示している。
【図４】構成手順の一部において、測定信号と分解係数とを関連付ける線形方程式を示している。
【図５】図５の較正からの結合行列Ｃの計算を示している。
【図６】スペクトルの分解係数に基づく発光体の色点の計算を示している。
【図１】
2009526359.tif 000004
【図２】
2009526359.tif 000005
【図３】
2009526359.tif 000006
【図４】
2009526359.tif 000007
【図５】
2009526359.tif 000008
【図６】
2009526359.tif 000009
【国際調査報告】
2009526359.tif 000010
2009526359.tif 000011
2009526359.tif 000012